(57)【要約】【課題】従来技術における電子ペンおよび電子ペンからの情報を処理する情報処理装置は、一の紙に対して、複数人（複数の電子ペン）で、協働作業を行うことを想定していない。【解決手段】一の媒体に情報を記載する複数の電子ペンから情報を受信し、当該情報に基づいて、電子ペンを識別するペン識別子と、媒体を識別する情報である媒体識別子と、記載情報を取得し、ペン識別子と媒体識別子と記載情報を対応付けて蓄積する情報処理装置であり、かかる情報処理装置により、一の媒体に複数人で記載した情報が後で利用でき、複数人の協働作業に好適である。具体的には、生徒の解答と先生の採点やコメントが、媒体識別子により自動的に関連付けられる。したがって、情報処理装置が出力機能を有する場合、または、他の装置により出力できる環境であれば、テストの解答と採点結果など合成して出力できる。【選択図】  図２
2004252689.tif 000002
【特許請求の範囲】
【請求項１】
一の媒体に情報を記載する複数の電子ペンから情報を受信し、
当該受信した情報に基づいて、電子ペンを識別するペン識別子と、媒体を識別する情報である媒体識別子と、電子ペンで記載した情報である記載情報を取得し、前記ペン識別子と前記媒体識別子と前記記載情報を対応付けて蓄積する情報処理装置。
【請求項２】
一の媒体に情報を記載する複数の電子ペンから情報を受信し、
当該受信した情報に基づいて、ペン識別子と記載情報を取得し、
外部から媒体識別子を取得し、
前記ペン識別子と前記媒体識別子と前記記載情報を対応付けて蓄積する情報処理装置。
【請求項３】
一の媒体に情報を記載する複数の電子ペンから情報を受信する情報処理装置であって、
前記電子ペンから媒体識別子と、ペン識別子と、前記電子ペンの軌跡を示す座標情報を有するペン情報を受信するペン情報受信部と、
前記座標情報から記載情報を取得し、前記媒体識別子と前記ペン識別子と前記記載情報を対応付けて蓄積する情報蓄積部を具備する情報処理装置。
【請求項４】
一の媒体に情報を記載する複数の電子ペンから情報を受信する情報処理装置であって、
前記電子ペンからペン識別子と、前記電子ペンの軌跡を示す座標情報を有するペン情報を受信するペン情報受信部と、
前記座標情報から媒体識別子を取得し、かつ、前記座標情報から記載情報を取得し、前記媒体識別子と前記ペン識別子と前記記載情報を対応付けて蓄積する情報蓄積部を具備する情報処理装置。
【請求項５】
一の媒体に情報を記載する複数の電子ペンから媒体識別子と、
ペン識別子と、記載情報を有するペン情報を受信するペン情報受信部と、
前記ペン情報が有する前記媒体識別子と前記ペン識別子と前記記載情報を対応付けて蓄積する情報蓄積部を具備する情報処理装置。
【請求項６】
情報を出力する指示であり、媒体識別子を有する出力指示を受け付ける入力受付部と、
前記入力受付部が受け付けた出力指示が有する媒体識別子と対になる１以上の記載情報を選択し、当該１以上の記載情報を出力する記載情報出力部をさらに具備する請求項１から請求項５いずれか記載の情報処理装置。
【請求項７】
前記記載情報出力部は、記載情報と対になるペン識別子によって、出力態様を変えて記載情報を出力する請求項６記載の情報処理装置。
【請求項８】
前記記載情報出力部は、一のペン識別子に対応する記載情報を黒で出力し、他の一のペン識別子に対応する記載情報を赤で出力する請求項７記載の情報処理装置。
【請求項９】
コンピュータに、
一の媒体に情報を記載する複数の電子ペンから情報を受信するステップと、
当該受信した情報に基づいて、ペン識別子と媒体識別子と記載情報を取得するステップと、
前記ペン識別子と前記媒体識別子と前記記載情報を対応付けて蓄積するステップを実行させるためのプログラム。
【請求項１０】
情報を出力する指示であり、媒体識別子を有する出力指示を受け付ける入力受付ステップと、入力受付ステップで受け付けた出力指示が有する媒体識別子と対になる１以上の記載情報を選択し、当該１以上の記載情報を出力する記載情報出力ステップをさらに具備する請求項９記載のプログラム。
【請求項１１】
記載情報出力ステップにおいて、記載情報と対になるペン識別子によって、出力態様を変えて記載情報を出力する請求項１０記載のプログラム。
【請求項１２】
電子ペンにより情報が記載される媒体であり、予め決められた２以上の領域に、２以上の電子ペンにより同一の媒体識別子が記載される媒体。
【発明の詳細な説明】
【０００１】
本発明は、一の媒体に情報を記載する複数の電子ペンから情報を受信する情報処理装置等に関する。
【０００２】
【従来の技術】
従来、記載した情報を外部に送信できる電子ペンとしてアノト社の電子ペンがある（非特許文献１参照）。この電子ペンは、通常のペンに超小型カメラ、画像認識装置、それにＢｌｕｅｔｏｏｔｈ（Ｂｌｕｅｔｏｏｔｈは「テレフオンアクチーボラゲット  エル  エム  エリクソン」社の登録商標。）送受信装置を備え付けたもので、専用紙に書かれた手書きの内容を読み取り、解析し、パソコン、携帯電話、ファックス等の情報通信機器に即時送受信できるものである。
【０００３】
なお、ブルートゥース（Ｂｌｕｅｔｏｏｔｈ）とは、無線通信規格であり、伝送距離は送信電力が１ｍＷのときに約１０ｍと、省電力、短距離を意識した無線規格である。また、送信電力を上げることにより、現在のところ、最大で１００ｍまで伝送距離を伸ばすことがえきる。
【０００４】
【非特許文献１】
アノト日本株式会社ホームページ、インターネット＜ＵＲＬ：ｈｔｔｐ：／／ｗｗｗ．ａｎｏｔｏ．ｊｐ／ｔｓｕｉｔｅ．ｈｔｍｌ＞
【０００５】
【発明が解決しようとする課題】
しかし、従来技術における電子ペンおよび電子ペンからの情報を処理する情報処理装置は、一の紙に対して、複数人（複数の電子ペン）で、協働作業を行うことを想定していない。
【０００６】
したがって、例えば、教育の現場で利用する場合は、以下の課題がある。つまり、例えば、ある生徒が問題の記載されている紙媒体の上に、電子ペンを利用して解答を記載したとする。かかる場合、生徒の電子ペンを識別する情報と記載した情報が情報処理装置に送信され、蓄積される。また、先生が、自分の電子ペンを利用して生徒の解答が記載された紙媒体上に、採点、コメント等を記載した場合、先生の電子ペンを識別する情報と記載した情報が情報処理装置に送信され、蓄積される。しかし、生徒の解答と先生の採点、コメントの間に、関連付けをすることができないために、先生の採点、コメントが、どの生徒の解答に対する採点等であるかを、情報処理装置は判断できなかった。
【０００７】
【課題を解決するための手段】
そこで、第一の発明は、一の媒体に情報を記載する複数の電子ペンから情報を受信し、当該受信した情報に基づいて、電子ペンを識別するペン識別子と、媒体を識別する情報である媒体識別子と、記載情報を取得し、ペン識別子と媒体識別子と記載情報を対応付けて蓄積する情報処理装置である。かかる情報処理装置により、一の媒体に複数人で記載した情報が後で利用でき、複数人の協働作業に好適である。具体的には、生徒の解答と先生の採点やコメントが、媒体識別子により自動的に関連付けられる。したがって、情報処理装置が出力機能を有する場合、または、他の装置により出力できる環境であれば、複数人の協働作業の結果（テストの解答と採点結果など）を有効に得る（合成して出力するなど）ことができる。
【０００８】
また、第二の発明は、一の媒体に情報を記載する複数の電子ペンから情報を受信し、当該受信した情報に基づいて、ペン識別子と記載情報を取得し、外部から媒体識別子を取得し、ペン識別子と媒体識別子と記載情報を対応付けて蓄積する情報処理装置である。かかる情報処理装置は、第一の発明とは、媒体識別子の送信元が異なるが、同様の効果を奏するものである。
【０００９】
また、第三の発明は、一の媒体に情報を記載する複数の電子ペンから情報を受信する情報処理装置であって、電子ペンから媒体識別子と、ペン識別子と、電子ペンの軌跡を示す座標情報を有するペン情報を受信するペン情報受信部と、座標情報から電子ペンで記載した情報である記載情報を取得し、媒体識別子とペン識別子と記載情報を対応付けて蓄積する情報蓄積部を具備する情報処理装置である。かかる情報処理装置は、従来技術における電子ペンを利用した態様であり、その効果は上記と同様の効果と同様である。
【００１０】
また、第四の発明は、一の媒体に情報を記載する複数の電子ペンから情報を受信する情報処理装置であって、電子ペンからペン識別子と、電子ペンの軌跡を示す座標情報を有するペン情報を受信するペン情報受信部と、座標情報から媒体識別子を取得し、かつ、座標情報から記載情報を取得し、媒体識別子とペン識別子と記載情報を対応付けて蓄積する情報蓄積部を具備する情報処理装置である。かかる情報処理装置も、従来技術における電子ペンを利用した態様であり、その効果は上記と同様の効果と同様である。
【００１１】
また、第五の発明は、一の媒体に情報を記載する複数の電子ペンから媒体識別子と、ペン識別子と、記載情報を有するペン情報を受信するペン情報受信部と、ペン情報が有する媒体識別子とペン識別子と記載情報を対応付けて蓄積する情報蓄積部を具備する情報処理装置である。かかる情報処理装置は、電子ペンにおいて文字認識等が行われること想定している。また、その効果は、上記の効果と同様である。なお、上記のいずれの情報処理装置も、情報出力機能を有しても良いし、情報出力は他の装置に任せても良い。
【００１２】
また、第六の発明は、記載情報と対になるペン識別子によって、出力態様を変えて記載情報を出力する上記の情報処理装置である。かかる情報処理装置により、さらに協働作業を支援できる。具体的には、生徒の解答を黒のフォントで出力し、先生の採点やコメントを赤のフォントで出力等できる。
【００１３】
【発明の実施の形態】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【００１４】
図１は、本実施の形態における情報処理システムの概念図である。情報処理システムは、媒体１１、２以上の電子ペン１２、情報処理装置１３を具備する。媒体１１は、特殊ドットパターンが印刷されている媒体であり、例えば、紙でできている。
【００１５】
図２は、本実施の形態における情報処理システムのブロック図である。電子ペン１２は、ペン識別子格納部１２０１、座標情報取得部１２０２、ペン情報構成部１２０３、ペン情報送信部１２０４を有する。
【００１６】
情報処理装置１３は、ペン情報受信部１３０１、情報蓄積部１３０２、入力受付部１３０３、記載情報出力部１３０４を有する。記載情報出力部１３０４は、情報合成手段１３０４１、情報出力手段１３０４２を有する。
【００１７】
ペン識別子格納部１２０１は、電子ペンを識別する情報であるペン識別子を格納している。ペン識別子のデータ構造や内容は問わない。ペン識別子格納部１２０１は、不揮発性の記録媒体が好適であるが、揮発性の記録媒体でも実現可能である。
【００１８】
座標情報取得部１２０２は、媒体１１の中の相対的な座標の情報である座標情報を取得する。座標情報取得部１２０２が座標情報を取得する方法として、例えば、以下の方法がある。媒体１１に図３に示す特殊ドットパターンが印刷されている場合に、座標情報取得部１２０２は、特殊ドットパターンによる座標検出技術で実現され得る。具体的には、例えば、図３のような構成になる。図３の構成は、ＣＣＤカメラ３０１、パターン認識と解析を行うプロセッサ３０２で構成される。特殊ドットパターンは、０．３ｍｍピッチのグリッドに沿ってドットを示し、そのドットの配置をＲｉｇｈｔ／Ｌｅｆｔ／Ｕｐ／Ｄｏｗｎの４パターンで振り分けることでコード化を図る。そして、ＣＣＤカメラより、特殊ドットパターンを６０フレーム／秒で撮影し、入力する。そして、撮影した画像情報を解析することにより、入力装置であるＣＣＤカメラの移動（すなわち撮影されるドットパターンの変化）を検出することができる。ＣＣＤカメラの移動を検出することにより、静的物体中の相対的な座標情報を取得できる。なお、座標情報取得部１２０２の別の手段として、以下のものが考えられる。媒体１１の表面に、座標情報を示すバーコードが印刷されており、座標情報取得部１２０２は、当該バーコードを読み込み、座標情報を得るバーコードリーダーで実現される。
【００１９】
ペン情報構成部１２０３は、ペン識別子格納部１２０１のペン識別子と、座標情報取得部１２０２が取得した座標情報を有するペン情報を構成する。なお、ペン情報は、ペン識別子と座標情報だけであるとは限らない。ペン情報構成部１２０３は、通常、ＭＰＵやメモリ等から実現され得る。ペン情報構成部１２０３がペン情報を構成するための処理手順は、通常、ソフトウェアで実現され、当該ソフトウェアはＲＯＭ等の記録媒体に記録されている。但し、ハードウェア（専用回路）で実現しても良い。
【００２０】
ペン情報送信部１２０４は、ペン情報構成部１２０３が構成したペン情報を情報処理装置１３に送信する。ペン情報送信部１２０４は、無線または有線の通信手段で実現され得る。特に、無線通信手段で実現するのが好適である。但し、放送手段により実現しても良い。
【００２１】
ペン情報受信部１３０１は、電子ペン１２からペン情報を受信する。ペン情報受信部１３０１は、電子ペン１２から、間接的にペン情報を受信しても良い。間接的にペン情報を受信するとは、電子ペン１２と情報処理装置１３の間に、ペン情報を転送する通信装置等が存在する場合等である。ペン情報受信部１３０１は、無線または有線の通信手段で実現され得る。特に、無線通信手段で実現するのが好適である。但し、放送を受信する手段により実現しても良い。
【００２２】
情報蓄積部１３０２は、ペン情報受信部１３０１が受信した情報を蓄積する。情報蓄積部１３０２は、通常、ペン情報が有する座標情報を文字コード等に変換して、ペン情報から変換ペン情報を構成し、当該変換ペン情報を蓄積する。ただし、ペン情報と変換ペン情報が同一の情報でも良い。変換ペン情報は電子ペンで記載した情報である記載情報を含む。記載情報とは、下記で述べる生徒が記載した解答や先生の採点やコメントなどである。なお、変換ペン情報の詳細は、後述する。情報蓄積部１３０２が情報を蓄積する蓄積媒体は、情報処理装置１３の内蔵の媒体でも、外付けの媒体でも良い。また、蓄積媒体は、ハードディスクでも、光ディスク等でも良く、その種類は問わない。情報蓄積部１３０２は、蓄積媒体を含むと考えても、含まないと考えても良い。情報蓄積部１３０２が情報を蓄積する処理は、通常、ソフトウェアで実現され、当該ソフトウェアはＲＯＭ等の記録媒体に記録されている。但し、ハードウェア（専用回路）で実現しても良い。
【００２３】
入力受付部１３０３は、情報を出力する指示である出力指示を受け付ける。通常、出力指示は、媒体１１を識別する媒体識別子を有する。入力手段は、テンキーやキーボードやマウスやメニュー画面によるもの等、何でも良い。入力受付部１３０３は、テンキーやキーボード等の入力手段のデバイスドライバーや、メニュー画面の制御ソフトウェア等で実現され得る。
【００２４】
記載情報出力部１３０４は、入力受付部１３０３が受け付けた出力指示に基づいて、情報蓄積部１３０２が蓄積した変換ペン情報の中から、出力する情報を選択し、当該情報を出力する。記載情報出力部１３０４は、少なくとも、媒体識別子と、ペン識別子と、記載情報のうちの１以上の情報を出力する。出力とは、ディスプレイの表示、プリンタへの印字、音出力、外部の装置への送信等を含む概念である。記載情報出力部１３０４は、ディスプレイやスピーカー等の出力デバイスを含むと考えても含まないと考えても良い。記載情報出力部１３０４は、出力デバイスのドライバーソフトまたは、出力デバイスのドライバーソフトと出力デバイス等で実現され得る。
【００２５】
情報合成手段１３０４１は、出力指示が媒体識別子を有する場合、当該媒体識別子と対になるペン識別子と記載情報を取得し、２以上の記載情報を合成する。情報の合成方法は問わない。通常、情報のタイプにより合成処理の方法は異なる。なお、２以上の記載情報を合成する際に、ペン識別子と対になるペン識別子によって、記載情報の属性値（フォントや、フォントの色や、下線の有無、背景など）を異なる値にすることが好ましい。情報合成手段１３０４１は、通常、ＭＰＵやメモリ等から実現され得る。情報合成手段１３０４１が情報を合成するための処理手順は、通常、ソフトウェアで実現され、当該ソフトウェアはＲＯＭ等の記録媒体に記録されている。但し、ハードウェア（専用回路）で実現しても良い。
【００２６】
情報出力手段１３０４２は、情報合成手段１３０４１が合成した情報を出力する。情報出力手段１３０４２は、出力デバイスのドライバーソフトまたは、出力デバイスのドライバーソフトと出力デバイス等で実現され得る。
【００２７】
以下、本情報処理システムの動作について説明する。まず、電子ペン１２の動作について図４のフローチャートを用いて説明する。
【００２８】
（ステップＳ４０１）座標情報取得部１２０２は、映像を取得したか否かを判断する。映像とは、例えば、図１の電子ペン１２のカメラで取得した映像である。映像を取得すればステップＳ４０２に行き、映像を取得しなければステップＳ４０１に戻る。
【００２９】
（ステップＳ４０２）座標情報取得部１２０２は、ステップＳ４０１で取得した映像および／または先に取得した映像から座標情報を構成する。
【００３０】
（ステップＳ４０３）ペン情報構成部１２０３は、ペン識別子格納部１２０１のペン識別子を取得する。
【００３１】
（ステップＳ４０４）ペン情報構成部１２０３は、ステップＳ４０２で構成した座標情報と、ステップＳ４０３で取得したペン識別子からペン情報を構成する。
【００３２】
（ステップＳ４０５）ペン情報送信部１２０４は、ステップＳ４０４で構成したペン情報を情報処理装置１３に送信する。なお、ペン情報送信部１２０４は、情報処理装置１３のＩＰアドレス等を保持している。ステップＳ４０１に戻る。
【００３３】
なお、図４のフローチャートにおいて、電源オフや処理の終了等の割り込みにより、処理を終了する。
【００３４】
また、図４のフローチャートにおいて、電子ペン１２で記載する情報は文字でも図形等でも良い。また、カメラで取得した映像から座標情報を構成する処理は、例えば、上述したアノト社の特殊な紙（専用紙）を用いれば可能であり公知技術であるので、詳細な説明は省略する。
【００３５】
さらに、図４のフローチャートにおいて、電子ペン１２は、座標情報を有するペン情報を情報処理装置１３に送信した。かかる場合、情報処理装置１３は、座標情報から文字や図形を認識する。しかし、電子ペン１２が座標情報から文字や図形を認識し、当該認識後の文字データ等を情報処理装置１３に送信しても良い。なお、複数の座標情報から文字コードを決定する処理は、文字認識の既存技術であるので、詳細な説明は省略する。
【００３６】
次に、情報処理装置１３の動作について図５、図６のフローチャートを用いて説明する。まず、図５のフローチャートを用いて、情報処理装置１３が情報を蓄積する動作について説明する。
【００３７】
（ステップＳ５０１）ペン情報受信部１３０１は、電子ペン１２からペン情報を受信したか否かを判断する。ペン情報を受信すればステップＳ５０２に行き、ペン情報を受信しなければステップＳ５０１に戻る。
【００３８】
（ステップＳ５０２）情報蓄積部１３０２は、ステップＳ５０１で受信したペン情報から座標情報を取得する。
【００３９】
（ステップＳ５０３）情報蓄積部１３０２は、ステップＳ５０１で受信したペン情報からペン識別子を取得する。
【００４０】
（ステップＳ５０４）情報蓄積部１３０２は、受信した座標情報から文字等の区切りであるか否かを判断する。電子ペン１２の軌跡の座標情報から文字等の区切りであるか否かを判断する技術は公知技術であるので、ここでの説明は省略する。文字等の区切りであればステップＳ５０５に行き、文字等の区切りでなければステップＳ５１１に飛ぶ。
【００４１】
（ステップＳ５０５）情報蓄積部１３０２は、第一のバッファに入っている座標情報の集合から文字コード等を構成する。
【００４２】
（ステップＳ５０６）情報蓄積部１３０２は、ステップＳ５０５で構成した文字コード等を第二のバッファに一時格納する。
【００４３】
（ステップＳ５０７）情報蓄積部１３０２は、一連の文（情報群）の区切りであるか否かを判断する。一連の文（情報群）の区切りであればステップＳ５０８に行き、一連の文（情報群）の区切りでなければステップＳ５０１に戻る。なお、ここでは、ステップＳ５０７で、一連の文等の区切りであると判断された情報は、媒体識別子または記載情報であるとする。
【００４４】
（ステップＳ５０８）情報蓄積部１３０２は、ステップＳ５０７で区切りであると判断した情報（第二のバッファの情報）が媒体識別子であるか否かを判断する。媒体識別子でればステップＳ５０９に行き、媒体識別子でなければステップＳ５１２に飛ぶ。なお、情報が媒体識別子であるか否かの判断は種々の判定方法がある。例えば、媒体１１の中で、媒体識別子が記載される領域が決まっており、かかる領域に記載された情報を媒体識別子と判断する方法がある。電子ペン１２から受信する座標情報群により、媒体識別子が記載される領域に記載された情報であるか否かは判断できる。また、例えば、特殊な文字や図柄等が入っていれば、媒体識別子であると判断しても良い。
【００４５】
（ステップＳ５０９）情報蓄積部１３０２は、ステップＳ５０８で取得した媒体識別子を一時格納する。
【００４６】
（ステップＳ５１０）情報蓄積部１３０２は、第一のバッファ、第二のバッファをクリアする。ステップＳ５０１に戻る。
【００４７】
（ステップＳ５１１）情報蓄積部１３０２は、ペン情報を一時的に、第一のバッファに格納する。ステップＳ５０１に戻る。
【００４８】
（ステップＳ５１２）情報蓄積部１３０２は、ペン識別子、一時格納されている媒体識別子、および文等の区切りであると判断した記載情報に基づいて、変換ペン情報を構成する。つまり、変換ペン情報は、通常、ペン識別子、媒体識別子、記載情報を有する。ここでは、ステップＳ５０７で、文等の区切りであると判断された情報は、媒体識別子でなければ、記載情報である。
【００４９】
（ステップＳ５１３）情報蓄積部１３０２は、ステップＳ５１１で構成した変換ペン情報を蓄積する。
【００５０】
（ステップＳ５１４）情報蓄積部１３０２は、第一のバッファ、第二のバッファをクリアする。ステップＳ５０１に戻る。
【００５１】
以上、図５のフローチャートにおいて、情報処理装置１３に変換ペン情報が蓄積できた。なお、図５のフローチャートにおいて、電源オフや処理の終了等の割り込みにより、処理を終了する。
【００５２】
また、電子ペン１２の軌跡を示す座標情報群から文字や文等の区切りを判断するために、過去に蓄積した複数の座標情報に基づいて区切りを判断し、文字認識等を行う技術は公知技術であるので、上記のフローチャートにおいて詳細には説明しなかった。
【００５３】
次に、図６のフローチャートを用いて、情報処理装置１３が情報を取得して出力する動作について説明する。
【００５４】
（ステップＳ６０１）入力受付部１３０３は、媒体識別子を有する出力指示を受け付けたか否かを判断する。出力指示を受け付ければステップＳ６０２に行き、出力指示を受け付けなければステップＳ６０１に戻る。
【００５５】
（ステップＳ６０２）情報合成手段１３０４１は、ステップＳ６０１で受け付けた出力指示から媒体識別子を取得する。
【００５６】
（ステップＳ６０３）情報合成手段１３０４１は、ステップＳ６０２で取得した媒体識別子をキーとして、蓄積されている変換ペン情報を検索する。そして、出力する情報を取得する。情報合成手段１３０４１は、例えば、媒体識別子と対になるペン識別子と記載情報の組を２以上取得する。
【００５７】
（ステップＳ６０４）情報合成手段１３０４１は、ステップＳ６０３で取得した情報を合成する。具体的には、例えば、取得したペン識別子と記載情報の組から記載情報のみを抽出し、記載情報を合成する。その際、ペン識別子によって、記載情報の属性（例えば、フォントの色）を変える。
【００５８】
（ステップＳ６０５）情報出力手段１３０４２は、ステップＳ６０４で合成した情報を出力する。
【００５９】
以下、本実施の形態における情報処理システムの具体的な動作について説明する。情報処理システムの概念図は図１である。
【００６０】
今、媒体は、複数の問題が記載されたテストの用紙である。テストを受ける生徒が、自分の電子ペンを用いて解答を媒体上に記載する。そして、先生が同じ媒体上に先生の電子ペンを用いて採点をする。
【００６１】
媒体（テスト用紙）の例を図７に示す。テスト用紙は、右上に、受験番号を記入する箇所が２つ（７０１、７０２）存在する。生徒は、７０１の記入場所に受験番号を入力する。なお、採点時に、先生は、７０１に記載されている番号と同じ番号を７０２の記入場所に入力する。なお、テスト用紙には、３つの問題が印刷されている。
【００６２】
また、生徒の電子ペンはペン識別子「００１」のペンであり、先生の電子ペンはペン識別子「１０１」のペンである、とする。なお、ここでは、生徒の電子ペンのペン識別子は「０」ではじまり、先生の電子ペンのペン識別子は「１」ではじまることが予め決められている、とする。
【００６３】
また、情報処理装置は、予め、どの座標領域に記載される情報が何の情報であるかを判断するための情報である判断情報を持っている。判断情報は、例えば、矩形領域の左上の座標（ｘ１，ｙ１）と右下の座標（ｘ２，ｙ２）を有する。そして、情報処理装置は、左上の座標（ｘ１，ｙ１）と右下の座標（ｘ２，ｙ２）で特定できる矩形領域に記載された文字等が、何を示す情報であるかを示す記載情報管理表を保持している。図８は記載情報管理表を示す図である。記載情報管理表は、「ＩＤ」「判断情報」「情報の種類」を有するレコードを１以上保持している。「ＩＤ」は、レコードを識別する情報であり、表管理上の要請のために存在する。「判断情報」は、上述したとおり、左上の座標（ｘ１，ｙ１）と右下の座標（ｘ２，ｙ２）を有する。「情報の種類」は、「判断情報」の領域にある情報の種類を示す情報である。つまり、（４０，２）、（５８，６）の矩形領域に記載された情報は「受験番号１」であり、これは、生徒が記載する受験番号を意味する。また、（４０，７）、（５８，１１）の矩形領域に記載された情報は「受験番号２」であり、これは、先生が記載する受験番号を意味する。また、（１，２０）、（６０，３０）の矩形領域に記載された情報は「問１解答」または「問１採点結果」であり、この領域には、生徒が記載する問１の解答か、先生が記載する問１の採点結果が記載される。
【００６４】
生徒は、テストの開始前に、受験番号を７０１の欄に、電子ペンを使用して記載する。今、生徒は、受験番号「１２３４５６」を電子ペンで記載した、とする（図９参照）。かかる場合、電子ペンは、電子ペンの軌跡を示す座標情報（ｘ，ｙ）とペン識別子「００１」を有するペン情報を、定期的に、かつ連続的に、情報処理装置に送信する。
【００６５】
次に、情報処理装置は、生徒の電子ペンの軌跡を示す座標情報（ｘ，ｙ）とペン識別子「００１」を有するペン情報を、定期的に、かつ連続的に受信する。そして、電子ペンの軌跡を示す座標情報（ｘ，ｙ）の集合から、「１２３４５６」の文字列を認識する。
【００６６】
また、情報処理装置は、受信した座標情報（ｘ，ｙ）の集合から、図８の記載情報管理表を参照して、文字列「１２３４５６」は、受験番号１であることを検知する。したがって、「００１」で識別されるペン識別子と生徒の受験番号（受験番号１）「１２３４５６」が対応付けられる。以後、情報処理装置は、ペン識別子「００１」と対で送信される座標情報群から認識される情報（解答）は、生徒「１２３４５６」の解答であると判断できる。
【００６７】
次に、生徒は、図１０に示すように、次々と問題に対する解答を電子ペンで記載する、とする。情報処理装置は、ペン識別子「００１」と対で電子ペンが動いた軌跡の座標情報群を受信する。そして、情報処理装置は、座標情報群から文字認識し、記載された文字列を特定する。また、情報処理装置は、記載された領域から図８の記載情報管理表を参照して、当該文字列が、どの問題に対する解答か（情報の種類）を特定する。そして、情報処理装置は、図１１に示す記載情報管理表を構成する。記載情報管理表は、「ＩＤ」「ペン識別子」「媒体識別子」「記載情報」「情報の種類」を有するレコードを１以上保持している。「媒体識別子」は、ここでは、先の受験番号１の情報である。そして、情報処理装置は、最初に、ペン識別子と「媒体識別子」の組を認識し、その後、一定時間の間に受信した、同一のペン識別子に対応する情報を、「媒体識別子」で識別される媒体（テスト用紙）に記載された情報（記載情報）であると認識する。また、受信した座標情報群を図８の記載情報管理表に基づいて、「情報の種類」を取得する。以上の処理により、情報処理装置は、「ペン識別子」「媒体識別子」「記載情報」「情報の種類」の情報を取得する。そして、情報処理装置は、「ペン識別子」「媒体識別子」「記載情報」「情報の種類」の情報を記録して、図１１の記載情報管理表を構成する。なお、図８の記載情報管理表において、情報処理装置は、生徒のペン識別子に対応する「情報の種類」と、先生のペン識別子に対応する「情報の種類」の判断が可能である、とする。つまり、生徒のペン識別子は「０」からはじまる３桁の数字列であり、先生のペン識別子は「１」からはじまる３桁の数字列であることを情報処理装置は知っている。そして、「問１解答」「問２解答」「問３解答」という情報の種類は、生徒の情報であり、「問１採点結果」「問２採点結果」「問３採点結果」という情報の種類は、先生の情報であることを、情報処理装置は知っている、とする。以上により、１レコードに「情報の種類」が２種類ある場合でも、情報処理装置は、一意に「情報の種類」を決定できる。
【００６８】
次に、テスト終了後、先生にテスト用紙が届けられる。そして、まず、先生は、テスト用紙の領域７０２に、生徒が書いた受験番号と同じ番号を、電子ペンで記載する（図１２参照）。すると、電子ペンは、先生のペン識別子「１０１」と座標情報の対の情報を次々と、情報処理装置に送信する。
【００６９】
次に、情報処理装置は、ペン識別子「１０１」と座標情報の対の情報を次々と受信する。そして、情報処理装置は、座標情報の集合から、文字認識し、「１２３４５６」という文字列を取得する。また、情報処理装置は、座標情報の集合と図８の記載情報管理表に基づいて、文字列「１２３４５６」が「受験番号２」の情報であると判断する。そして、情報処理装置は、以後、一定時間の間にペン識別子「１０１」と対で送信される情報は、媒体識別子「１２３４５６」のテスト用紙に記載された先生の採点結果である、と判断する。
【００７０】
次に、先生は、電子ペンを用いて、媒体識別子「１２３４５６」のテスト用紙に対して、採点をする（図１３参照）。そして、電子ペンは、ペン識別子「１０１」と先生のペンの動作の軌跡の座標情報を連続的に、情報処理装置に送信する。
【００７１】
次に、情報処理装置は、ペン識別子「１０１」と座標情報の対の情報を連続的に受信する。そして、座標情報群から、文字認識処理を行い、先生が記載した情報を文字コードに変換する。また、座標情報群から、記載された情報の種類を取得する。情報の種類の取得は、上述したように記載情報管理表を参照して行う。なお、情報の種類に関して、情報処理装置は、ペン識別子「１０１」が先生のペンであると認識し、文字認識した情報が「問１採点情報」等であると判断する。以上より、情報処理装置は、上記の処理の結果、取得した情報を記載情報管理表に追記し、図１４の記載情報管理表を得る。
【００７２】
次に、情報処理装置に蓄積された記載情報を出力する処理について説明する。まず、ユーザは、情報処理装置に受験番号（媒体識別子）を入力して、テスト用紙の出力を指示する、とする。今、ユーザは、受験番号「１２３４５６」を含むテスト用紙の出力指示を、情報処理装置に入力した、とする。
【００７３】
情報処理装置は、受け付けた受験番号「１２３４５６」をキーとして、図１４の記載情報管理表を検索する。そして、情報処理装置は、「媒体識別子」が「１２３４５６」であるレコード（「ＩＤ」＝１から６のレコード）を選択する。
【００７４】
次に、図示しない手段が保持しているテスト用紙（図７）と選択した記載情報（記載情報管理表の「ＩＤ」＝１から６のレコード）を合成する。具体的には、例えば、図１５に示すような合成結果となる。つまり、媒体識別子「１２３４５６」が、７０１の領域に記載される。また、情報の種類に従って、予め決められた領域に「記載情報」が記載されるように合成される。また、合成の際には、ペン識別子によって、記載情報の属性値（フォントの種類、色、下線の有無）などが異なる。また、先生の採点結果には、必ず「○」または「×」が含まれ、「○」が含まれている場合と、「×」が含まれる場合とで、表示態様を異なるようにして情報を合成しても良い。図１５によれば、生徒が記載した記載情報のフォントの色が黒で、先生が記載した記載情報のフォントの色が赤であり、かつ、「×」が含まれる場合には、「記載情報」に下線を引いて形態で合成している。
【００７５】
そして、情報処理装置は、図１５のように合成した情報（採点済みのテスト用紙）を表示する。
【００７６】
なお、生徒が記載した記載情報、先生が記載した記載情報の開始座標を記録しておけば、合成段階で、さらに正確に記載情報の位置が特定でき好適である。また、情報処理装置が文字認識を行って、電子ペンで記載した情報をコード化したが、記載情報の記録時または出力時に、座標情報からビットマップ情報に変換しても良い。かかる処理を行えば、手書きのイメージで、テスト用紙を見ることができて好適である。
【００７７】
以上、本実施の形態によれば、一の紙などの媒体に対して、複数人（複数の電子ペン）で協働作業を行なった場合に、媒体識別子をキーとして複数人が記載した情報を関連付けて蓄積できる。したがって、複数の電子ペンで一の媒体で記載した情報を後に、自由に合成して出力等できる。また、一の媒体に複数の電子ペンによる記入があった場合に、記入した電子ペンにより、形態が異なるように出力できるので、例えば、教育現場での利用に好適である。具体的には、生徒の解答を黒のフォントで出力し、先生の採点やコメントを赤のフォントで出力等できる。
【００７８】
なお、本実施の形態によれば、電子ペンから座標情報の集合を情報処理装置に送信し、情報処理装置が座標情報の集合から文字を認識する処理を行ったが、電子ペンが文字認識をした後、文字コードを情報処理装置に送信しても良い。つまり、情報処理装置は、電子ペンから受信した情報に基づいて、ペン識別子と媒体識別子と記載情報を取得し、当該ペン識別子と媒体識別子と記載情報を対応付けて蓄積し、媒体識別子をキーとして記載情報を取得し出力すれば良い。
【００７９】
また、本実施の形態によれば、情報処理装置は、入力受付部と記載情報出力部を具備した。しかし、情報処理装置は、電子ペンから受信したペン情報または、変換ペン情報を蓄積するだけでも良い。かかる場合、情報処理装置に蓄積された情報を、何らかの手段で他の装置に格納し、他の装置で上述した出力処理を行っても良い。したがって、情報処理装置は、一の媒体に情報を記載する複数の電子ペンから情報を受信し、当該受信した情報に基づいて、電子ペンを識別するペン識別子と、媒体を識別する情報である媒体識別子と、記載情報を取得し、ペン識別子と媒体識別子と記載情報を対応付けて蓄積する情報処理装置等であれば良い。
【００８０】
また、本実施の形態によれば、情報処理装置は、電子ペンで特定の領域に記載された情報（座標情報）に基づいて、媒体識別子を取得した。しかし、紙等の媒体に媒体識別子を示すバーコードが印刷されており、バーコードリーダーを具備する電子ペンが媒体識別子を読み取り、情報処理装置に送信しても良い。また、バーコードで記載された媒体識別子は、電子ペンとは別のバーコードリーダーが読み取り、情報処理装置に送信しても良い。さらに、例えば、テストの受験生は、バーコードを記載したシールを持参し、解答用紙に貼付して、上記の態様で使用しても良い。
【００８１】
また、媒体識別子が格納されている無線タグが紙等の媒体に貼付されており、無線タグリーダーを具備する電子ペンが媒体識別子を読み取り、情報処理装置に送信しても良い。また、無線タグに格納されている媒体識別子は、電子ペンとは別の無線タグリーダーが読み取り、情報処理装置に送信しても良い。
【００８２】
バーコードや無線タグを用いて媒体識別子を取得する場合は、情報処理装置は以下のような構成になる。一の媒体に情報を記載する複数の電子ペンから情報を受信して管理する情報処理装置であって、電子ペンから媒体識別子と、ペン識別子と、電子ペンの軌跡を示す座標情報を有するペン情報を受信するペン情報受信部と、座標情報から電子ペンで記載した情報である記載情報を取得し、媒体識別子とペン識別子と記載情報を対応付けて蓄積する情報蓄積部を具備する情報処理装置、である。
【００８３】
また、バーコードや無線タグを用いて媒体識別子を取得する場合に、電子ペンが当該媒体識別子を情報処理装置に送信する必要はない。別途、バーコードリーダーや無線タグリーダーを保持している装置が、情報処理装置に媒体識別子を送信しても良い。かかる場合、情報処理装置は、外部から媒体識別子を受信することとなる。かかる場合、情報処理装置は、一の媒体に情報を記載する複数の電子ペンから情報を受信し、当該受信した情報に基づいて、ペン識別子と記載情報を取得し、外部から媒体識別子を取得し、ペン識別子と媒体識別子と記載情報を対応付けて蓄積する情報処理装置、である。
【００８４】
また、本実施の形態において、生徒の先生の共同作業により、一の媒体（紙など）に情報を記入する態様を示したが、本情報処理システムを、２人以上のグループで一の成果物を完成させる他の作業に用いても良い。例えば、グループで発表資料を作成する場合などに有効である。また、一の生徒の答案を、複数人の先生が、採点をするために、電子ペンを利用して採点の情報を書き込むような形態も、当然に含まれる。その他、複数の電子ペンを用いた、いかなる態様の作業についても、本実施の形態において述べた情報処理システムの処理は含まれる。
【００８５】
また、図９を用いて説明したように、２つの領域に記入された同じ受験番号を、一の媒体識別子としたが、１つの領域に２度記入された同じ受験番号を、一の媒体識別子としても良い。つまり、受験生が書いた受験番号の上を、採点時に、採点者がなぞって、同一の番号を記入することでも良い。
【００８６】
また、本実施の形態において、一の媒体識別子で識別される媒体（紙）は、物理的に２枚以上でも良い。つまり、問題用紙、解答用紙が２枚以上から構成され、当該２枚以上の問題用紙、解答用紙に、受験生等が回答し、採点者等が採点を行った場合にも、上記と同様の処理が行われる。つまり、上述した情報処理装置は、一の媒体に情報を記載する複数の電子ペンから情報を受信し、当該受信した情報に基づいて、電子ペンを識別するペン識別子と、媒体を識別する情報である媒体識別子と、電子ペンで記載した情報である記載情報を取得し、ペン識別子と媒体識別子と記載情報を対応付けて蓄積する情報処理装置であり、上記の「一の媒体」は、物理的に２枚以上の媒体（紙等）でも良い。つまり、「一の媒体」は、物理的に分離された２以上の物体でも良い。
【００８７】
また、本実施の形態において、電子ペンからの情報が情報処理装置に送信される態様は、直接的でも間接的でも良い。つまり、電子ペンからの情報が、一旦、中継装置に送信され、中継装置から情報処理装置に送信されるなどの態様も含む。したがって、上述した情報処理装置は、一の媒体に情報を記載する複数の電子ペンから情報を受信し、当該受信した情報に基づいて、電子ペンを識別するペン識別子と、媒体を識別する情報である媒体識別子と、電子ペンで記載した情報である記載情報を取得し、ペン識別子と媒体識別子と記載情報を対応付けて蓄積する情報処理装置であり、上記の「電子ペンから情報を受信」の「受信」とは、間接的な情報の受信でも良い。
【００８８】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータに、一の媒体に情報を記載する複数の電子ペンから情報を受信するステップと、当該受信した情報に基づいて、電子ペンを識別するペン識別子と、媒体を識別する情報である媒体識別子と、記載情報を取得するステップと、ペン識別子と媒体識別子と記載情報を対応付けて蓄積するステップを実行させるためのプログラムである。また、当該プログラムは、情報を出力する指示であり、媒体識別子を有する出力指示を受け付ける入力受付ステップと、入力受付ステップで受け付けた出力指示が有する媒体識別子と対になる１以上の記載情報を選択し、当該１以上の記載情報を出力する記載情報出力ステップを具備しても良い。
【発明の効果】
以上のように、本発明によれば、一の媒体に複数の電子ペンで記載した情報が有効に利用でき、複数人の協働作業に好適である。
【図面の簡単な説明】
【図１】実施の形態における情報処理システムの概念図
【図２】実施の形態における情報処理システムのブロック図
【図３】実施の形態における座標情報取得部の構成例を示す図
【図４】実施の形態における電子ペンの動作について説明するフローチャート
【図５】実施の形態における情報処理装置の動作について説明するフローチャート
【図６】実施の形態における情報処理装置の動作について説明するフローチャート
【図７】実施の形態における媒体の例を示す図
【図８】実施の形態における記載情報管理表を示す図
【図９】実施の形態における媒体の例を示す図
【図１０】実施の形態における媒体の例を示す図
【図１１】実施の形態における記載情報管理表を示す図
【図１２】実施の形態における媒体の例を示す図
【図１３】実施の形態における媒体の例を示す図
【図１４】実施の形態における記載情報管理表を示す図
【図１５】実施の形態における情報の出力例を示す図
【符号の説明】
１１  媒体
１２  電子ペン
１３  情報処理装置
１２０１  ペン識別子格納部
１２０２  座標情報取得部
１２０３  ペン情報構成部
１２０４  ペン情報送信部
１３０１  ペン情報受信部
１３０２  情報蓄積部
１３０３  入力受付部
１３０４  記載情報出力部
１３０４１  情報合成手段
１３０４２  情報出力手段
【図１】
2004252689.tif 000003
【図２】
2004252689.tif 000004
【図３】
2004252689.tif 000005
【図４】
2004252689.tif 000006
【図５】
2004252689.tif 000007
【図６】
2004252689.tif 000008
【図７】
2004252689.tif 000009
【図８】
2004252689.tif 000010
【図９】
2004252689.tif 000011
【図１０】
2004252689.tif 000012
【図１１】
2004252689.tif 000013
【図１２】
2004252689.tif 000014
【図１３】
2004252689.tif 000015
【図１４】
2004252689.tif 000016
【図１５】
2004252689.tif 000017